(57)【要約】【課題】生体情報の測定時にカフやポンプを用いることなく、高周波の圧力変動を簡単な機械的な構成で確実かつ容易にカットすることができ、生体情報測定の精度向上を図る。【解決手段】腕時計（１００）は、バンド部材（４）を介して伝達された手首（Ｒ）付近の動脈の脈動により生じた張力変動を脈拍検出部（３）内に設けられた第１の空気室（３４）の内圧変動に変換する遮蔽部材（３１）と、この遮蔽部材（３１）によって変換された第１の空気室（３４）の内圧変動を、この第１の空気室（３４）と脈拍検出部（３）内に設けられた第２の空気室（３５）とを連通する孔部（３６ａ）を介して第２の空気室（３５）に伝達する第１の空気室（３４）及び仕切り部材（３６）と、第２の空気室（３５）に設けられ第２の空気室（３５）内の内圧変動を検出する金属板（３７）及び圧電素子（３８）と、を備える。【選択図】        図１
2005073709.tif 000002
【特許請求の範囲】
【請求項１】
生体情報を検出する生体情報検出部と、この生体情報検出部を有する装置本体を手首に装着するバンド部材と、を備える生体情報測定装置において、
前記バンド部材を介して伝達された手首付近の動脈の脈動により生じた張力変動を前記生体情報検出部内に設けられた第１の空気室の内圧変動に変換する変換手段と、
この変換手段によって変換された前記第１の空気室の内圧変動を、この第１の空気室と前記生体情報検出部内に設けられた第２の空気室とを連通する孔部を介して前記第２の空気室に伝達する伝達手段と、
前記第２の空気室に設けられ、前記第２の空気室内の内圧変動を検出する検出手段と、
を備えることを特徴とする生体情報測定装置。
【請求項２】
前記伝達手段は、
前記第１の空気室と、
この第１の空気室に隣接して設けられた第２の空気室と、
前記第１の空気室と前記第２の空気室とを仕切るとともに中央部に前記孔部が形成された仕切り部材と、
を備えることを特徴とする請求項１に記載の生体情報測定装置。
【請求項３】
前記変換手段は、
前記生体情報検出部を手首に装着した際に手首に接触するとともに前記生体情報検出部内の気密を保つように遮蔽する遮蔽部材を備え、
前記遮蔽部材は、手首側に張り出した張出部を有し、
前記張出部は、前記バンド部材を介して伝達された張力変動を受ける底面部と、前記バンド部材を介して伝達された張力変動により前記底面部に作用する力によって弾性変形する側面部と、を備えることを特徴とする請求項１又は２に記載の生体情報測定装置。
【請求項４】
前記底面部は、剛性の高いプレートを備えていることを特徴とする請求項３に記載の生体情報測定装置。
【請求項５】
前記検出手段は、前記第２の空気室側に設けた可撓性部材と、この可撓性部材に設けた圧電素子とを備えていることを特徴とする請求項１〜３の何れか一項に記載の生体情報測定装置。
【請求項６】
前記装置本体は、時計計時部が収納されたケース体を備え、
このケース体は前記バンド部材に取り付けられ、
前記ケース体の裏面側に前記生体情報検出部が設けられていることを特徴とする請求項１〜３の何れか一項に記載の生体情報検出装置。
【発明の詳細な説明】
【０００１】
【発明の属する技術分野】
本発明は、生体情報測定装置に関するものである。
【０００２】
【従来の技術】
従来、例えば、生体情報としての脈拍を測定する機能を有する腕時計が知られている。この腕時計は、本体を手首に装着するとともに、脈動を検出するバンドを指に装着し、バンドが検出した脈動を本体で演算して脈拍を算出するものである（例えば、特許文献１参照。）。
また、腕時計のケース体に空気室を形成し、この空気室に連通するカフを設け、圧力センサの感圧部を空気室内に臨ませるように設けたものも知られている（例えば、特許文献２参照。）。この腕時計は、手首の血管の脈動に伴ってカフ内の空気が断続的に加圧され、気圧変動として空気室内に伝達される。そして、この空気室内の気圧変化が圧力センサによって感知され、血圧として表示されるようになっている。
【０００３】
【特許文献１】
特開平８−２９９２９２号公報
【特許文献２】
特開平昭６２−２９２１３７号公報
【０００４】
【発明が解決しようとする課題】
しかし、特許文献１に記載の腕時計においては、測定箇所となる指にバンドを取り付ける必要があることから、脈拍測定の際には、ユーザは意識的に測定のためだけに通常の状態とは異なる状態に準備したり、測定のためだけの動作を行う必要があった。
また、特許文献２に記載の腕時計においては、特許文献１に記載の腕時計における上述の問題点を解決しているものの、特許文献２に記載の腕時計を用いて脈拍を測定する場合には、カフ、及び、カフ内圧を上げるためのポンプが不可欠であり、また、圧力センサが脈拍による気圧変動以外の細かい変動、すなわち、ノイズのような高周波成分を含む圧力変動等も検出してしまうため、正確な測定ができないという問題があった。
【０００５】
そこで、本発明の課題は、生体情報の測定時にカフやポンプを用いることなく高周波の圧力変動を簡単な機械的な構成で確実かつ容易にカットすることができ、生体情報測定の精度向上を図ることができる生体情報測定装置及び腕時計を提供することである。
【０００６】
【課題を解決するための手段】
上記課題を解決するため、請求項１に記載の発明は、生体情報を検出する生体情報検出部（例えば、図１，２の脈拍検出部３）と、この生体情報検出部を有する装置本体を手首に装着するバンド部材（例えば、図１，２のバンド部材４）と、を備える生体情報測定装置（例えば、図１，２の腕時計１００）において、前記バンド部材を介して伝達された手首付近の動脈の脈動により生じた張力変動を前記生体情報検出部内に設けられた第１の空気室（例えば、図１の第１の空気室３４）の内圧変動に変換する変換手段（例えば、図１，２の遮蔽部材３１）と、この変換手段によって変換された前記第１の空気室の内圧変動を、この第１の空気室と前記生体情報検出部内に設けられた第２の空気室（例えば、図１，２の第２の空気室３５）とを連通する孔部（例えば、図１〜図３の孔部３６ａ）を介して前記第２の空気室に伝達する伝達手段（例えば、図１の第１の空気室３４、図１，２の仕切り部材３６）と、前記第２の空気室に設けられ、前記第２の空気室内の内圧変動を検出する検出手段（例えば、図１，２の金属板３７，圧電素子３８）と、を備えることを特徴とする。
【０００７】
請求項１に記載の発明によれば、バンド部材を介して伝達された手首付近の動脈の脈動により生じた張力変動を第１の空気室の内圧変動に変換し、この第１の空気室の内圧変動が、第１の空気室と生体情報検出部内に設けられた第２の空気室とを連通する孔部を介して第２の空気室に伝達され、この第２の空気室内の内圧変動を検出することになるが、第１の空気室で受けた内圧変動は、孔部を介して第２の空気室に伝達される際に、この孔部により、細かい空気変動（高周波振動）をカットし、測定しようとする脈拍変動に対応する圧力変動のみを第２の空気室に伝達することができる。よって、生体情報の測定時にカフやポンプを用いることなく、ノイズのような高周波成分を含む圧力変動を第２の空気室に伝達される前に確実かつ容易にカットすることができるので、生体情報測定の精度向上を図ることができる。
【０００８】
請求項２に記載の発明は、請求項１に記載の生体情報測定装置において、前記伝達手段は、前記第１の空気室（例えば、図１の第１の空気室３４）と、この第１の空気室に隣接して設けられた第２の空気室（例えば、図１，２の第２の空気室３５）と、前記第１の空気室と前記第２の空気室とを仕切るとともに中央部に前記孔部（例えば、図１〜図３の孔部３６ａ）が形成された仕切り部材（例えば、図１，２の仕切り部材３６）と、を備えることを特徴とする。
【０００９】
請求項２に記載の発明によれば、第１の空気室の内圧変動を、第１の空気室と生体情報検出部内に設けられた第２の空気室とを連通する孔部を介して第２の空気室に伝達させることができる。このため、高周波成分を含む張力変動が第１の空気室に入力された場合、孔部が高周波成分をカットするダンパとして機能することとなり、ノイズのような高周波成分を含む圧力変動を第２の空気室に伝達される前でカットすることができるので、生体情報測定の精度向上を図ることができる。
【００１０】
請求項３に記載の発明は、請求項１又は２に記載の生体情報測定装置において、前記変換手段は、前記生体情報検出部を手首に装着した際に手首に接触するとともに前記生体情報検出部内の気密を保つように遮蔽する遮蔽部材（例えば、図１，２の遮蔽部材３１）を備え、前記遮蔽部材は、手首側に張り出した張出部（例えば、図１，２の張出部３２）を有し、前記張出部は、前記バンド部材を介して伝達された張力変動を受ける底面部（例えば、図１，２の底面部３２ａ）と、前記バンド部材を介して伝達された張力変動により前記底面部に作用する力によって弾性変形する側面部（例えば、図１，２の側面部３２ｂ）と、を備えることを特徴とする。
【００１１】
請求項３に記載の発明によれば、生体情報検出部内の気密を保つように遮蔽する遮蔽部材の張出部を構成している底面部でバンド部材を介して伝達された張力変動を受け、この力によって側面部が弾性変形し、この側面部の弾性変形に伴って生体情報検出部内の内圧変動が生じ、この内圧変動を検出手段が検出するようにすることができる。よって、簡単な構造でバンド部材の張力変動を確実に圧力変動に変換して生体情報を測定することができる。
【００１２】
請求項４に記載の発明は、請求項３に記載の生体情報測定装置において、前記底面部は、剛性の高いプレート（例えば、図１，２のプレート３３）を備えていることを特徴とする。
【００１３】
請求項４に記載の発明によれば、底面部が剛性の高いプレートを備えているので、この底面部の部分的な変形を防止することができる。よって張力変動を確実に内圧変動に変換し、検出手段の感度の低下を防止できる。
【００１４】
請求項５に記載の発明は、請求項１〜３の何れか一項に記載の生体情報測定装置において、前記検出手段は、前記第２の空気室側に設けた可撓性部材（例えば、図１，２の金属板３７）と、この可撓性部材に設けた圧電素子（例えば、図１，２の圧電素子３８）とを備えていることを特徴とする。
【００１５】
請求項５に記載の発明によれば、可撓性材料が撓むと、圧電素子にはその撓みに応じた電圧が生じ、この電圧により、圧力変動を検出することができるので、小型且つ精度よく圧力変動を検出することができる。
【００１６】
請求項６に記載の発明は、請求項１〜３の何れか一項に記載の生体情報検出装置において、前記装置本体は、時計計時部（例えば、図１，２の時計計時部１）が収納されたケース体（例えば、図１，２のケース体２）を備え、このケース体は前記バンド部材に取り付けられ、前記ケース体の裏面側に前記生体情報検出部が設けられていることを特徴とする。
【００１７】
請求項６に記載の発明によれば、ケース体に時計計時部を収納し、このケース体にバンド部材を取り付け、ケース体の裏面側に生体情報検出部を設けることにより、腕時計型の生体情報検出装置となるので、腕時計にこれらの機能を持たせることができる。
【００１８】
【発明の実施の形態】
以下、本発明に係る生体情報測定装置及び腕時計の実施の一形態について詳細に説明する。なお、本実施の形態においては、生体情報測定装置として脈拍測定機能を有する腕時計を例に挙げて説明する。
【００１９】
図１は、腕時計を左手に装着した場合に、腕の付け根側から腕時計及び手首を見た断面図である。図１に示すように、腕時計１００には、時計計時部１を収納するケース体２と、ケース体２に設けられ、脈拍を検出する生体情報検出部としての脈拍検出部３と、ケース体２に設けられ、脈拍検出部３を手首に装着するバンド部材４等が備えられている。
【００２０】
図２は、腕時計１００の内部構成を示すブロック図であり、ＣＰＵ（Ｃｅｎｔｒａｌ  Ｐｒｏｃｅｓｓｉｎｇ  Ｕｎｉｔ：中央処理装置）１０１、入力部１０２、表示部１０３、ＲＡＭ（Ｒａｎｄｏｍ  Ａｃｃｅｓｓ  Ｍｅｍｏｒｙ：随時書き込み読み出しメモリー）１０５、ＲＯＭ（Ｒｅａｄ  Ｏｎｌｙ  Ｍｅｍｏｒｙ：読み出し専用メモリー）１０６、計時回路部１０８、発振回路部１０９によって構成されており、発振回路部１０９を除く各部はバス１１３によって接続されている。また、計時回路部１０８には発振回路部１０９が接続され、バス１１３には、検出手段としての圧電素子３８（後述する）が接続されている。
【００２１】
ＣＰＵ１０１は、所定のタイミング或いは入力部１０２から入力された操作信号等に応じて、ＲＯＭ１０６内に格納された各種プログラムに基づいて各機能部への指示やデータの転送等を行う。特に、ＣＰＵ１０１は、例えば、計時回路部１０８で計数される現在時刻データに基づく表示信号を表示部１０３に出力して表示時刻を更新させる等の各種制御を行う。また、ＣＰＵ１０１は、圧電素子３８からの出力信号に基づいて脈拍の算出に関する制御を行う。
【００２２】
入力部１０２は、腕時計１００に各種機能を実行させる為のスイッチ等で構成される。そして、これらのスイッチが操作された時には、対応するスイッチの操作信号がＣＰＵ１０１に出力される。入力部１０２は、例えば、脈拍測定の指示入力を行う。
【００２３】
表示部１０３は、小型液晶ディスプレイ等により構成され、ＣＰＵ１０１からのデータ、例えば計時回路部１０８による現在時刻データや脈拍をデジタル表示する。
【００２４】
ＲＡＭ１０５は、ＣＰＵ１０１の制御の下、ＣＰＵ１０１で処理されたデータを記憶するとともに、記憶しているデータをＣＰＵ１０１に出力するために用いられる。ＲＯＭ１０６は、主に、腕時計１００に係るシステムプログラムやアプリケーションプログラム（例えば、脈拍算出プログラム）等を記憶する。
【００２５】
計時回路部１０８は、発振回路部１０９から入力される信号を計数して、現在時刻データ等を得る。そして当該現在時刻データをＣＰＵ１０１に出力する。発振回路部１０９は、常時一定周波数の信号を出力する回路である。
【００２６】
ケース体２は、筒状に形成され、一方（表面側）の開口には時計ガラス５が設けられ、他方（裏面側）の開口には脈拍検出部３が設けられている。
【００２７】
図３は、脈拍検出部３の断面図であり、図４は、脈拍検出部３の平面図である。図３（ａ）に示すように、脈拍検出部３には、バンド部材４を介して伝達された手首Ｒ付近の動脈の脈動により生じた張力変動を圧力変動に変換する変換手段、この変換手段により変換された圧力変動を検出する圧電素子３８が設けられている。
変換手段は、例えば、脈拍検出部３を手首に装着した際に手首に接触するとともに脈拍検出部３の気密を保つように遮蔽する遮蔽部材３１を備えて構成されている。ここで、遮蔽部材３１は、例えば、ウレタンやシリコン、又は、ゴムを用いることが望ましい。
遮蔽部材３１には、手首側に張り出した張出部３２が形成されており、この張出部３２には、バンド部材４を介して伝達された張力変動を受ける底面部３２ａと、バンド部材４を介して伝達された張力変動により底面部３２ａに作用する力によって弾性変形する側面部３２ｂとが形成されている。
また、底面部３２ａには、剛性の高い材料、例えば、金属或いは樹脂からなるプレート３３が設けられている。なお、プレート３３は、底面部３２ａと一体成形してもよいし、底面部の表面や裏面に貼り付けて設けてもよい。
【００２８】
また、遮蔽部材３１に張出部３２を形成することにより、遮蔽部材３１と時計計時部１との間には空間が形成されており、この空間が空気室として機能する。空気室は、遮蔽部材３１側に設けられた第１の空気室３４と、この第１の空気室と区切られた第２の空気室３５とに分割されており、その境界には、仕切り部材３６が設けられている。仕切り部材３６には、隣接する第１の空気室３４と第２の空気室３５とに連通する孔部３６ａがほぼ中央部に形成されている。この孔部３６ａは、第１の空気室３４の内圧が変化した場合、第２の空気室３５との内圧の均衡を保つための空気の出入り口となり、ノイズのような高周波成分を含む張力変動がバンド部材４を介して第１の空気室３４内に入力された場合、この孔部３６ａがこの入力された張力変動の高周波成分をカットするダンパの役目を果たし、高周波のノイズを除去する機能を有する。すなわち、第１の空気室３４で受けた圧力変動は、孔部３６ａを介して第２の空気室３５に伝達される際に、この孔部３６ａの働きにより、第１の空気室３４で受けた圧力変動を少しずつ第２の空気室３５に伝達させるため、細かい空気変動（高周波振動）がカットされ、測定しようとする脈拍変動に対応する圧力変動のみが第２の空気室３５に伝達される。
【００２９】
図３（ｂ）及び図４に示すように、仕切り部材３６の上面には、可撓性部材としての薄板状の金属板３７が設けられている。この金属板３７は、孔部３６ａの上方に位置し、仕切り部材３６とパネル部材３９との間でゴムリングＧ２を介して取り付けられており、第２の空気室３５の内圧変動により撓むようになっている。
金属板３７の上面には、圧電素子３８が貼り付けられている。圧電素子３８は、薄板円盤状に形成され、その上面には、図３（ｂ）及び図４に示すように、時計計時部１に接続されたリード線ＬがハンダＨによって取り付けられている。リード線Ｌは、例えば、金属板３７と圧電素子３８にそれぞれ取り付けられており、金属板３７が撓むことにより、圧電素子３８の表裏に生じた電位差を、リード線Ｌを介して検出するようになっている。
圧電素子３８は、金属板３７が撓むことにより、第２の空気室３５の内圧変動を検出し、検出した出力信号をＣＰＵ１０１に出力する。
更に、仕切り部材３６の上面には、遮蔽部材３１と時計計時部１とを隔離するパネル部材３９が設けられている。このパネル部材３９には、開口部３９ａが形成されている。この開口部３９ａは、金属板３７が変形した際に、金属板３７の変形を電気信号に変換した信号を時計計時部１に伝達するために設けられたものである。
【００３０】
ケース体２と仕切り部材３６との間には、パネル部材３９がゴムリングＧ１を介して取り付けられている。また、仕切り部材３６の上面には気密突起３６ｂが形成されており、パネル部材３９をゴムリングＧ２に加圧しながら気密突起３６ｂを溶着させることにより、ケース体２内の気密が保持されるようになっている。
パネル部材３９の端部には、仕切り部材３６の端部及び遮蔽部材３１の端部が重ねられ、ネジＮによってケース体２に取り付けられている。
【００３１】
ここで、孔部３６ａの大きさについて、例えば、図５を用いて考察する。図５は、縦軸に圧電素子３８の感度、横軸に圧電素子３８の面積に対する孔部３６ａの面積の割合としたものである。
図５より、測定者がいずれの状態であっても、圧電素子３８の面積に対する空気孔面積の割合が小さい程感度が高く、この割合が大きくなるにつれて選択性が悪くなることがわかる。従って、圧電素子面積に対する空気孔面積の割合を考慮して孔部３６ａの径の大きさを適宜に選択することにより、脈拍振動による振動以外の高周波成分を削除して、正確な脈拍測定を行うことができる。例えば、図５より、径が約２０ｍｍの圧電素子３８を用いると、最も感度が高くなる孔部３６ａの径は、約１ｍｍであることがわかる。
なお、孔部３６ａは、金属板３７の中心位置に形成することが望ましい。
【００３２】
バンド部材４は、ケース体２に接続されており、振動を伝達可能な軟質材料であればよく、例えば、シリコンや軟質性を有する樹脂等から成形されている。
【００３３】
次に、脈拍測定の仕組みについて説明する。
図１に示すように、手首Ｒに腕時計１００のケース体２が手の甲側になるようにバンド部材４で装着した場合、前腕の中の尺骨Ｓ及び橈骨Ｔの近傍を流れる尺骨動脈及び橈骨動脈に直交する方向にバンド部材４が配されることとなる。なお、前腕にある２本の骨のうち、小指側にある軸状の長骨を尺骨といい、親指側にある軸状の長骨を橈骨という。
【００３４】
各動脈は、脈拍に同期して心臓から送り出される血液の圧力変動により、拡張と収縮を繰り返す。動脈が拡張すると、バンド部材４は、尺骨Ｓ及び橈骨Ｔに対して拡がる方向に力が作用し、動脈が収縮すると、バンド部材４は、拡がる方向に作用する力が開放され、戻ろうとする力が働く。このため、バンド部材４には、張力が作用するときと、張力から開放されるときとが交互に訪れる。この圧力変動は、バンド部材４及びケース体２を介して脈拍検出部３に伝達されるため、動脈が拡張したときは脈拍検出部３にはバンド部材４に作用する張力が伝達され、脈拍検出部３は手首Ｒに押し付けられる。
【００３５】
脈拍検出部３が手首Ｒに押し付けられると、第１の空気室３４の内圧が変動する。その内圧変動が孔部３６ａを介して第２の空気室３５に伝達されると、金属板３７は撓み、金属板３７に設けられた圧電素子３８は、中心が盛り上がるようにして全体的に変形する。
圧電素子３８が撓むと、その撓み量に応じた出力電圧が圧電素子３８からの出力信号となってＣＰＵ１０１に出力される。そして、ＣＰＵ１０１が、出力信号を受信するピッチを測定することにより、脈拍を算出して表示部１０３に表示させる。
【００３６】
本実施の形態における腕時計１００によれば、遮蔽部材３１に張出部３２を設けることにより、脈拍検出部３内には第１の空気室３４及び第２の空気室３５が形成される。バンド部材４を介して伝達された張力変動は底面部３２ａに作用し、この力によって側面部３２ｂが弾性変形する。側面部３２ｂが弾性変形することにより、脈拍検出部３内の内圧変動が生じ、この内圧変動によって金属板３７及び圧電素子３８が撓み、圧電素子３８からその撓みに応じた電圧を出力する。この結果、遮蔽部材３１が、バンド部材４を介して伝達された、手首Ｒ付近の動脈の脈動により生じた張力変動を、張出部３２の弾性変形により、第１の空気室３４及び第２の空気室３５の圧力変動に変換し、第２の空気室３５に設けられている金属板３７に設けられた圧電素子３８がこの変換された圧力変動を脈拍として検出する。すなわち、腕時計１００を手首Ｒに装着したままでも、バンド部材４の張力変動は脈拍検出部３に伝達されて圧力変動に変換されるので、脈拍の測定時にカフやポンプを用いることなく、簡単な構造でバンド部材４の張力変動を確実に圧力変動に変換して脈拍を測定することができる。また、脈拍測定における意識的な操作が不要となり手軽に脈拍を測定できる。
【００３７】
また、第１の空気室３４の内圧が変化した場合、第２の空気室３５との内圧の均衡を保つために設けられた孔部３６ａを介して、第１の空気室３４と第２の空気室３５との間で空気の出入りが行われようとするが、脈拍振動以外の高周波成分を含む張力変動がバンド部材４を介して遮蔽部材３１に入力された場合、この孔部３６ａが高周波成分をカットするダンパとして機能する。
よって、ノイズのような高周波成分を含む張力変動は第１の空気室３４から第２の空気室３５に伝達される前に孔部３６ａの働きでカットされるので、圧電素子３８が脈拍振動を検出する際の誤検出を防止し、脈拍測定の精度を高めることができる。
【００３８】
また、底面部３２ａにプレート３３を設けることにより、底面部３２ａが押圧されたときには、プレート３３が設けられている領域は変形せず、側面部３２ｂが弾性変形することによって、局所的な変形による圧電素子３８の感度の低下を防止できる。
【００３９】
なお、本発明は上記実施の形態に限定されるものではない。例えば、脈拍検出部３は、ケース体２を設けることなく、バンド部材４の裏面に直接設けてもよい。また、脈拍検出部３をケース体２又はバンド部材４に沿って移動可能となるように構成してもよい。また、時計以外の機能を有するものであってもよい。その他、発明の目的を逸脱しない範囲内であれば変更が可能である。
【００４０】
【発明の効果】
請求項１に記載の発明によれば、バンド部材を介して伝達された手首付近の動脈の脈動により生じた張力変動を第１の空気室の内圧変動に変換し、この第１の空気室の内圧変動が、第１の空気室と生体情報検出部内に設けられた第２の空気室とを連通する孔部を介して第２の空気室に伝達され、この第２の空気室内の内圧変動を検出することになるが、第１の空気室で受けた内圧変動は、孔部を介して第２の空気室に伝達される際に、この孔部により、細かい空気変動（高周波振動）をカットし、測定しようとする脈拍変動に対応する圧力変動のみを第２の空気室に伝達することができる。よって、生体情報の測定時にカフやポンプを用いることなく、ノイズのような高周波成分を含む圧力変動を第２の空気室に伝達される前に確実かつ容易にカットすることができるので、生体情報測定の精度向上を図ることができる。
【００４１】
請求項２に記載の発明によれば、第１の空気室の内圧変動を、第１の空気室と生体情報検出部内に設けられた第２の空気室とを連通する孔部を介して第２の空気室に伝達させることができる。このため、高周波成分を含む張力変動が第１の空気室に入力された場合、孔部が高周波成分をカットするダンパとして機能することとなり、ノイズのような高周波成分を含む圧力変動を第２の空気室に伝達される前でカットすることができるので、生体情報測定の精度向上を図ることができる。
【００４２】
請求項３に記載の発明によれば、生体情報検出部内の気密を保つように遮蔽する遮蔽部材の張出部を構成している底面部でバンド部材を介して伝達された張力変動を受け、この力によって側面部が弾性変形し、この側面部の弾性変形に伴って生体情報検出部内の内圧変動が生じ、この内圧変動を検出手段が検出するようにすることができる。よって、簡単な構造でバンド部材の張力変動を確実に圧力変動に変換して生体情報を測定することができる。
【００４３】
請求項４に記載の発明によれば、底面部が剛性の高いプレートを備えているので、この底面部の部分的な変形を防止することができる。よって張力変動を確実に内圧変動に変換し、検出手段の感度の低下を防止できる。
【００４４】
請求項５に記載の発明によれば、可撓性材料が撓むと、圧電素子にはその撓みに応じた電圧が生じ、この電圧により、圧力変動を検出することができるので、小型且つ精度よく圧力変動を検出することができる。
【００４５】
請求項６に記載の発明によれば、ケース体に時計計時部を収納し、このケース体にバンド部材を取り付け、ケース体の裏面側に生体情報検出部を設けることにより、腕時計型の生体情報検出装置となるので、腕時計にこれらの機能を持たせることができる。
【図面の簡単な説明】
【図１】本発明の実施の形態における腕時計の概略を示す断面図である。
【図２】本発明の実施の形態における腕時計の内部構成を示すブロック図である。
【図３】（ａ）は図１の脈拍検出部を拡大して示した断面図、（ｂ）は圧電素子の近傍を拡大して示した断面図である。
【図４】図２の脈拍検出部の平面図である。
【図５】本発明の実施の形態における圧電素子面積に対する孔部面積の割合と感度との関係を示すグラフである。
【符号の説明】
１      時計計時部（時計計時部）
２      ケース体（ケース体）
３      脈拍検出部（生体情報検出部）
３１    遮蔽部材（変換手段）
３２    張出部（張出部）
３２ａ  底面部（底面部）
３２ｂ  側面部（側面部）
３３    プレート（プレート）
３４    第１の空気室（第１の空気室、伝達手段）
３５    第２の空気室（第２の空気室）
３６    仕切り部材（仕切り部材、伝達手段）
３６ａ  孔部（孔部）
３７    金属板（検出手段、可撓性部材）
３８    圧電素子（検出手段）
４      バンド部材（バンド部材）
１００  腕時計（生体情報測定装置）
【図１】
2005073709.tif 000003
【図２】
2005073709.tif 000004
【図３】
2005073709.tif 000005
【図４】
2005073709.tif 000006
【図５】
2005073709.tif 000007